(57)【要約】  【課題】  簡易な構成で、作動油の不足を一見して容易に確認でき、点検確認を迅速に行えるオイルリザーバの油量監視装置を提供する。  【解決手段】  油量監視装置１は、作動油を受け入れるようにオイルリザーバの側壁Ｒに固定されるケース２と、ケース２の一側面に設けられる表示窓３と、ケース２内に上下方向に回転自在に支持されるインジケータ４とを具備する。インジケータ４は、円柱状を成し、作動油より比重が小さく、偏心位置の軸線方向の回転軸４ａによりケース２に水平に上下方向へ回転自在に支持される。インジケータ４は、ケース２に作動油が満ちた適量状態であれば作動油に没し、浮力により回転軸４ａに対して側面の最も遠い部分が上方の回転位置となり、ケース２の作動油が空の不足状態であれば、回転軸４ａに対して側面の同部分が下方の回転位置となり、この位置で側面部分の着色した警告表示部５が表示窓３に対向する。【選択図】  図１
2012163089.tif 000002
【特許請求の範囲】
【請求項１】
オイルリザーバ内のオイルの不足を外部に警告表示する油量監視装置において、
前記オイルリザーバの側壁に偏心軸で偏心回転可能に水平に軸支され、オイルより比重が小さく、オイルの適量状態でオイルに没することにより作用する浮力で上昇し、オイルの不足状態でオイルから露出することにより浮力を失って下降し、下降位置でオイルリザーバの前記側壁に対面する警告表示部を備えたインジケータと、
前記オイルリザーバの側壁に設けられ、前記インジケータの警告表示部を外部から視認可能な表示窓とを具備することを特徴とする油量監視装置。
【請求項２】
前記インジケータは、偏心軸方向の軸線を有する円筒状側面を有し、
前記警告表示部は、円筒状側面の円周方向の半部の一方を他方と視覚的に識別可能であることを特徴とする請求項１に記載の油量監視装置。
【請求項３】
前記オイルリザーバの側壁に固定され、オイルリザーバ内のオイルが導入され、適量状態でオイルが満たされる一方、不足状態で空となり、内部に前記インジケータを軸支すると共に、オイルリザーバの外側に露出した側面に前記表示窓を有するケースを具備することを特徴とする請求項１又は２に記載の油量監視装置。
【請求項４】
前記表示窓には、正面から側方へ外れた斜め位置において前記インジケータを視認可能なレンズを具備することを特徴とする請求項１から３の何れかに記載の油量監視装置。
【請求項５】
請求項１ないし４の何れかに記載の前記油量監視装置を具備することを特徴とするオイルリザーバ。
【発明の詳細な説明】
【技術分野】
【０００１】
本発明は、例えば油圧防振器等の油圧機器の作動油や燃焼機器の燃料油などの各種オイルの貯留量の不足を警告表示する装置に関するものである。
【背景技術】
【０００２】
例えば支持体と防振対象との間に介設される油圧式の防振器は、内部に作動油を充填したシリンダと、シリンダ内を二つの油圧室に区画するピストンと、シリンダに出入り自在に挿入されたピストンロッドとを具備し、シリンダの二つの油圧室の油通路上に弁装置を設け、弁装置の開閉動作により必要に応じて防振対象に生じる振動を低減する。このような油圧防振器の作動油は油通路上に備えた油容器に貯留する。
従来、特許文献１に記載の油圧防振器は、ピストン杆にこれと並行にピストンのストローク位置を指示可能な目盛り付きの標示棒を設けると共に、油容器に油面位置を指示可能な目盛り付きのスケールを設け、標示棒と油容器のスケールとを対比観察することにより、作動油の油量の適否を判定している。
【先行技術文献】
【特許文献】
【０００３】
【特許文献１】実開昭55-70637号公報
【発明の開示】
【発明が解決しようとする課題】
【０００４】
上記従来の油圧防振器においては、標示棒と油容器のスケールとを対応づけて油量の適否を判定するため、ピストンがストローク端より内側に位置すると判定が容易でないし、一見して評価できず、迅速な点検確認が困難である上、標示棒が防振器本体から張り出して余計なスペースをとる。油量の適否の判定を誤ると、防振器の所期の性能を発揮できず、固着の危険等もあるし、逆に正常動作の防振器を調整あるいは交換することになる等無駄な作業を強いることにもなる。
そこで、本発明は、オイルリザーバを備えた油圧機器や燃焼機器などのオイルの不足を一見して容易に判定でき、点検確認を迅速に行える簡易な構成の油量監視装置を提供することを課題としている。
【課題を解決するための手段】
【０００５】
上記課題を解決するため、本発明においては、オイルリザーバ内のオイルの不足を外部に警告表示する油量監視装置１において、オイルより比重の小さいインジケータ４を、オイルリザーバの側壁Ｒに偏心軸４ａで偏心回転可能に水平に軸支し、オイルの適量状態でオイルに没することにより作用する浮力で上昇回転させ、オイルの不足状態でオイルから露出することにより浮力を失って下降回転させ、このインジケータ４に下降位置でオイルリザーバの側壁Ｒに対面する位置に警告表示部５を設け、インジケータ４の警告表示部５を外部から視認可能な表示窓３をオイルリザーバの側壁Ｒに設けた。
インジケータ４には偏心軸方向の軸線を有する円筒状側面を備え、警告表示部５を円筒状側面の円周方向の半部の一方を他方と視覚的に識別可能に構成した。
ケース２をオイルリザーバの側壁Ｒに固定する構成とし、オイルリザーバ内のオイルを導入し、適量状態でオイルが満たされる一方、不足状態で空となり、内部にインジケータ４を軸支すると共に、オイルリザーバの外側に露出した側面に表示窓３を設けた。
表示窓３には、正面から側方へ外れた斜め位置においてインジケータ４を視認可能なレンズ１３ａ，１３ｂを設けた。
【発明の効果】
【０００６】
本発明においては、油量が適正量から不足すると、表示窓を通じて警告表示を目視確認でき、油量の不足状態を一見して容易に判定でき、オイルの点検確認作業を迅速に遂行できるし、極めて簡易な構成で小型化が可能で、安価に提供でき、オイル不足による機器の不具合を未然に防止することができる。表示窓にレンズを設ければ、正面から外れた斜め位置の広い範囲で確認できる。
【図面の簡単な説明】
【０００７】
【図１】（Ａ）は本発明の第１実施例に係る油量監視装置の縦断面図、（Ｂ）は警告表示状態の油量監視装置の縦断面図である。
【図２】図１の油量監視装置の横断面図である。
【図３】第２実施例に係る油量監視装置の縦断面図である。
【図４】図３の油量監視装置の横断面図である。
【図５】表示窓の変形例の縦断面図である。
【発明を実施するための形態】
【０００８】
本発明の第１実施例を図面を参照して説明する。
図１，図２に示すように、油量監視装置１は、油圧機器のオイルリザーバの側壁Ｒに設けられる。油量監視装置１は、オイルリザーバの側壁Ｒにオイルリザーバ内の作動油を受け入れるようにオイルリザーバに固定されるケース２と、ケース２の外側面に固着され、ケース２内を視認可能な表示窓３と、ケース２内に上下方向に回転自在に支持されたインジケータ４とを具備する。ケース２は直方体状を成し、一側面に上下位置でオイルリザーバ内の作動油を導入する上下の連通孔２ａを有し、オイルリザーバ内の作動油の適量状態で作動油が満たされ、不足状態で空となる。表示窓３はケース２の側面の開口枠部２ｂに透明のガラス板３ａが気密に固着されて構成される。インジケータ４は、円筒状の側面を有し、作動油より比重が小さく、偏心位置にある水平方向の回転軸４ａによりケース２に上下方向へ回転自在に支持されている。インジケータ４は、作動油に浮かぶため、ケース２に作動油が満たされた適量状態であれば作動油に没し、浮力により回転軸４ａから最も遠い側面部分が上部になる回転位置に配置され、ケース２の作動油が空の不足状態であれば、回転軸４ａから最も遠い側面部分が下部になる回転位置に配置される。インジケータ４には、回転軸４ａを通って均等に二分割した円周方向半部の側面の一方に着色した警告表示部５を備える。警告表示部５は、作動油が不足状態のときの回転位置にあるインジケータ４が表示窓３に対面する側に設けられる。
【０００９】
この油量監視装置１においては、油圧機器の作動油が適量状態であれば、連通孔２ａを通じてオイルリザーバの作動油がケース２内に導入されて満たされており、図１（Ａ）に示すようにインジケータ４が作動油に没し、浮力により回転軸４ａから最も遠い側面部分が上部の回転位置にあるので、警告表示部５が表示窓３と反対側に位置して視認できず、適量状態を判定できる。もし、作動油が不足状態になれば、同図（Ｂ）に示すように、インジケータ４がケース２内で作動油から露出して浮力を失い、回転軸４ａから最も遠い側面部分が下部の回転位置に変位するので、表示窓３を通じて警告表示部５を視認でき、不足状態を判定できる。このようにして表示窓３を通じて油圧機器内の油量が不足状態か否かを確認できる。
【００１０】
第２実施例を図３，図４に示す。なお、同図以下において先の実施例と同一の構成部分については同一の符号を付して説明を省略する。
油量監視装置１１のケース１２は、オイルリザーバの内部に開口して作動油を受け入れる。ケース１２の一側面には透明のガラスレンズ１３ａが嵌め込まれた表示窓１３を備える。ガラスレンズ１３ａは、外面が湾曲し、光の屈折によりケース１２内のインジケータ４の警告表示部５を表示窓１３の両側部に近い斜め位置から視認可能な視野角を有し、広い範囲で作動油の不足状態か否かを確認できる。
なお、図５に示すように、表示窓１３は、正面中央から側方へ傾斜した略三角柱状のレンズ１３ｂを採用して表示窓１３の両側部に近い斜め位置から視認可能な視野角を有するものとしてもよい。
【００１１】
上記実施例においては、油量監視装置１，１１を油圧防振器のオイルリザーバに適用したが、本発明はこれに限定するものではなく、同様な作動油を用いる他の油圧機器や、さらに燃料油を用いる燃焼機器などのオイルの用途如何にかかわらず、オイルリザーバであれば広く適用できるものである。
【符号の説明】
【００１２】
１    油量監視装置
２    ケース
３    表示窓
４    インジケータ
４ａ  回転軸
５    警告表示部
１１    油量監視装置
１２    ケース
１３    表示窓
１３ａ  レンズ
Ｒ    オイルリザーバ側壁
【図１】
2012163089.tif 000003
【図２】
2012163089.tif 000004
【図３】
2012163089.tif 000005
【図４】
2012163089.tif 000006
【図５】
2012163089.tif 000007